(57)【要約】【課題】通帳等の媒体のプレ印刷色や材質に応じて最適で高品質の印字を行う。【解決手段】印字場所に関するプレ印刷色や材質を示す情報を通帳等の所定の箇所に予め記録しておき、印字時にその情報を参照してインクジェットヘッドから射出するインクの量やインク混合量を最適に制御する。【選択図】  図１
2004284137.tif 000002
【特許請求の範囲】
【請求項１】
インクジェット方式により通帳類に印字する通帳類取扱装置において、通帳類の所定の箇所に予め記録された、印字対象場所に関するプレ印刷に関する情報を読み取る読取手段と、該読取手段で読み取られた情報に基づいてインク射出量を制御する制御手段とを有することを特徴とする通帳類取扱装置。
【請求項２】
インクジェット方式により通帳類に印字する通帳類取扱装置において、通帳類の所定の箇所に予め記録された、印字対象場所に関するプレ印刷に関する情報を読み取る読取手段と、該読取手段の読取り情報に基づき、インクの色の混合量を制御する制御手段を有すること特徴とする通帳類取扱装置。
【請求項３】
プレ印刷に関する情報を表すバーコードが、通帳の中紙の所定の箇所に印刷されていることを特徴とする請求項１又は２記載の通帳類取扱装置。
【請求項４】
カラー印字制御方法において、
媒体の印刷色又は地紋などのプレ印刷の印刷色に関する第１の情報を媒体の所定の箇所に記録しておき、
プレ印刷の印刷色に対して印字するカラー色の対応関係を示す第２の情報を記憶手段に予め記憶し、
媒体への印字に際して、該第１の情報及び第２の情報を参照して、第２の情報から３原色の混合量を示す情報を得て、
該混合量を示す情報に基づいて印字ヘッドを制御し、媒体にカラー印字を施すことを特徴とするカラー印字制御方法。
【発明の詳細な説明】
【０００１】
【発明の属する技術分野】
本発明は、金融機関で使用される通帳類取扱装置に係り、特にインクジェット方式により通帳類に印字するインクジェット式通帳プリンタに関するものである。
【０００２】
【従来の技術】
銀行等の金融機関で使用される通帳類取扱装置において、通帳印字用の印字ヘッドとしては従来よりドットインパクト方式のものが使用されている。
近年、印字速度の高速化、印字（印刷）のフルカラー化によるサービス向上が求められるようになりインクジェット方式による印字が望まれている。インクジェット方式の印字は、通帳等印字媒体の紙質によりにじみや濃度等の印字特性が異なるという技術的課題がある。
【０００３】
この課題を解決するため、例えば特開２００２−３３７３２２号公報（特許文献１）には、印字媒体のインク吸収特性に関する情報を印字媒体に予め記録しておき、インクジェット印字時にこの情報を読取り、この情報に従ってインク射出量を制御する旨の技術が開示されている。
【０００４】
【特許文献１】
特開２００２−３３７３２２号公報
【０００５】
【発明が解決しようとする課題】
しかし、通帳のように表紙は布クロスを使用し、中紙も見返し頁（約款頁）と明細印字頁とで紙質が異なるという１つの媒体でインクの吸収特性が異なるものに対しての印字は従来考慮されていなかった。
また、銀行等で使用される通帳は、銀行名やロゴマークなどの地紋等プレ印刷が施されているものが殆どであり、しかもこのプレ印刷の色は赤系、緑系、青系、と様々である。このプレ印刷の頁にインクジェットによりカラー印字した場合、インクの色がこのプレ印刷色に影響され、目で見た時に本来の色に見えないという問題が考えられる。銀行で使用される通帳の種類は数十種類にもなり、それぞれプレ印刷の色が異なる場合がある。また、同じ総合通帳でもキャラクタ通帳と一般通帳ではプレ印刷の色柄が異なり、更に見返し頁と明細頁および定期の頁と普通の頁ではプレ印刷の色が異なる場合がある。従って、取り扱い媒体に高品質な印字を行うためにはこの媒体のプレ印刷色に応じてインクの混合量が適切になるように制御して印字する必要があるが、従来技術ではこの点に関しては考慮されていなかった。
【０００６】
また、プレ印刷色と同様に通帳表紙の色についても様々であり、通帳表紙にカラー印刷する場合にもインクの混合量が適切になるように制御して印字する必要があるが、従来技術ではこの点に関しては考慮されていなかった。
また、プレ印刷の有無でインクの吸収特性が異なるため、印字面のプレ印刷の有無に応じてインクの射出量が適切になるように制御して印字する必要があるが従来技術ではこの点に関しては考慮されていなかった
本発明の目的は、広義には媒体の地色や地紋の色に応じて印字色を変更して制御できるカラー印字制御方法を提供することにある。
【０００７】
本発明の目的は、予め通帳類に記録されたプレ印刷色情報に基づいて最適で高品質な印字を行うことができる通帳類取扱装置を提供することにある。
【０００８】
【課題を解決するための手段】
上記目的を達成するため、本発明は、インクジェット方式により通帳類等の印字媒体に印字する通帳類取扱装置において、通帳類の所定の箇所に予め記録された、プレ印刷に関する情報を読み取る読取手段と、この読取手段で読み取られた情報に基づいてインク射出量を制御する制御手段とを有して構成される。
本発明はまた、インクジェット方式により通帳類等の印字媒体に印字する通帳類取扱装置において、通帳類の所定の箇所に予め記録された、プレ印刷に関する情報を読み取る読取手段と、読取手段の読取り情報に基づき、インクの色（イエロー、マゼンダ、シアン）の混合量を制御する制御手段を有して構成される。
本発明に係る特徴的な通帳は、表紙又は中紙の印字色又は地紋などについてのプレ印刷の印字色に関する情報をバーコードとして又は磁気情報として、通帳の所定の箇所に予め記録されている。
【０００９】
本発明はまたカラー印字制御方法としても把握され得る。即ち、媒体の印刷色又は地紋などのプレ印刷の印刷色に関する第１の情報を媒体の所定の箇所に記録しておき、プレ印刷の印刷色に対して印字するカラー色の対応関係を示す第２の情報を記憶手段に予め記憶し、媒体への印字に際して、該第１の情報及び第２の情報を参照して、第２の情報から３原色の混合量を示す情報を得て、この混合量を示す情報に基づいて印字ヘッドを制御し、媒体にカラー印字を施すように構成したものである。
【００１０】
【発明の実施の形態】
以下、図面を参照して本発明の一実施例を説明する。
図１は、本発明の一実施例による通帳類取扱装置の一例である通帳プリンタの概略的な構成を示す。
この通帳プリンタ１は、銀行などに設置される現金自動取引装置（ＡＴＭと言う）等に搭載される。通帳プリンタ１は通帳の搬送を行うための搬送路２を備えている。なお、搬送上ガイドは図示省略している。搬送路２にはＡＴＭの正面に設けられた図示しない操作パネル側の端面に、通帳の挿入や取り出しを行うための挿入口３が設けられている。搬送路２は、複数の搬送ローラ４を備えており、この搬送ローラ４が回転することによって通帳を搬送する。搬送ローラ４は、図示しないモータによって駆動される。
【００１１】
また、搬送路２には、磁気読み書き部５と、光学読み取り部６と、印字部７とが設けられている。磁気読み書き部５は、通帳に貼り付けられた磁気ストライプの情報の読み取りおよび書き込みを行う。光学読み取り部６は、通帳に予め印刷された頁マークや本実施例に特徴的なバーコード１０を光学的に読み取る。（尚、通帳９のバーコード情報については図３及び図４を参照して後述する。）印字部７はインクジェットヘッドにより通帳に取引き明細等の処理内容や銀行からのお知らせ等各種サービス内容を印字する。インクジェットヘッドは通帳の搬送方向に対し、垂直方向に往復動作することで通帳に印字を行う。
通帳プリンタ１の各部の動作は、制御ユニット８によって制御される。尚、制御ユニット８の構成及び制御動作については、図２，５，６を参照して後述する。
【００１２】
図３を参照して、通帳の中紙のバーコード情報について説明する。
通帳９の中紙の右下部には、印字面に予め印刷されている銀行名等地紋や罫線のプレ印刷の色、表紙の印刷色および中紙の色などを表す情報、及び表紙布クロスや中紙用紙材質を表す情報がバーコード１０として記録されている。
【００１３】
このバーコード１０の示す意味について、図４を参照して説明する。
（Ａ）に示すように、バーコード１０は１２本のバーで構成され、１２桁の情報を表す。細バーは「０」、太バーは「１」を示す。
左の桁から、２本のバーはパターンを示し、次の２本のバーはその詳細を示す。これらパターン及びその詳細の定義は、（Ｂ）に示す通りである。更に中央の４本のバーは「色情報１」を示し、右側の４本のバーは「色情報２」を示す。色情報の定義については（Ｃ）に示す通りである。
通帳の頁又は印字行の地紋の色を反映して、図４の取り決めに基づきバーコード１０の内容が決められる。例えば、（Ａ）に示すバーコードは、パターンが「０１」、詳細が「０１」で、色情報１及び２が「００１１」の黄色を示している。
【００１４】
次に、図２に示す制御ブロック図を参照して制御ユニット８について説明する。
制御ユニット８は、ＣＰＵ２１、メモリ２２、ヘッド制御部２３、及びヘッドドライバ２４を備え、ヘッドドライバ２４によってインクジェットヘッド７を駆動する。ＣＰＵ２１は通帳印字のための全体の制御を行う。制御の詳細については、図７を参照して後述するが、光学読み取り部６で読まれた通帳の印字制御のためのバーコード情報Ａ（図３のマーク１０）、及びメモリ２２からのインク混合量制御情報Ｂに基づき、イエロー（Ｙ）、マゼンダ（Ｍ）、シアン（Ｃ）の最適なインク混合量及び射出量を算出する。
メモリ２２は、印字すべき情報や制御プログラムを格納する他に、本実施例に特徴的なインク混合量制御テーブル４０を格納する。テーブル４０の一例は図５に示す。ヘッド制御部２３は、ＣＰＵ２１からの印字制御情報を受けて、ヘッドドライバ２４を制御する。
【００１５】
図５は、インク混合量制御テーブルを示す。
（Ａ）に示すインク混合量制御テーブル４０には、「なし」、「赤〜緑」までの９つの色情報に対する地紋色情報を持っている。そして夫々の地紋色に対してそれぞれインク混合量制御テーブル４１を持っている。
例えば、（Ｂ）のように、赤色地紋に対応して赤色地紋制御テーブル４１が用意される。例えばインクジェットの印字色が赤の場合、この場合中紙の地紋色が赤色なので、コントラストに差が出ない恐れがある。そこで、イエローをプラス（＋）にし、シアン（Ｃ）をマイナス（−）にするように制御して、インクジェットヘッド７を駆動する。
【００１６】
次に、図６を参照して通帳プリンタにおけるインクジェット制御の動作について説明する。
【００１７】
ユーザによって挿入口３から挿入された通帳９は搬送ローラ４によって搬送され、光学読み取り部６で、バーコード１０が読み取られる（ＳＴ１）。
読取られたバーコード情報１０は制御ユニット８に送られる。尚、光学読み取り部６では、通帳に記された頁マークや印字済み行の読み取りも行い、新たに印字すべき行の特定が行なわれる。そして、通帳９は磁気読み書き部５へ搬送され、そこで、磁気ストライプの磁気データが読み取りられる。次に、通帳９は所定の印字位置に搬送され、印字部７によって、取引きに関するデータが印字される。この時、制御ユニット８はバーコード情報１０に基づき適切な印字が行われるようインクジェットヘッドの制御を行う。
【００１８】
具体的には、地紋印刷の有無に応じて、インク混合量の制御及びインク射出量の制御が行なわれるが、それに先立って、印字対象行に地紋印刷があるか否かが判定される（ＳＴ２）。もし地紋が有れば、次にカラー印字か否かが判定される（ＳＴ３）。もしカラー印字ならば、インク混合量の制御を行う（ＳＴ５）。このインク混合量の制御については後で説明する。インク混合量の制御が済み、又は上記カラー印字の判定（ＳＴ３）で、否のときには、インク射出量の制御を行う。
このようにして、インク混合量及び射出量が制御されて、該当する行にインクジェット方式で印字をする。そして、印字終了の判定を行い（ＳＴ９）、もし印字が終了していなければ、再度印字対象行の地紋判定を行い（ＳＴ２）、上記の動作を繰り返す。
上記地紋の有無判定（ＳＴ２）で、地紋が無ければ、カラー印字の判定が行われる（ＳＴ４）。その判定で、もしカラー印字を行う場合には、ＳＴ５、及び６と同様にしてインク混合量を制御し（ＳＴ７）、インク射出量を制御して（ＳＴ８）印字が行われる。
このようにして、対象とする行への印字が終了すると、通帳９は磁気読み書き部５を通過し、そこで磁気ストライプ情報が更新されて、挿入口３からユーザに返却される。
【００１９】
さて上記カラー印字を行う場合、プレ印刷の色に応じてインクの色（イエロー、マゼンダ、シアン）の混合量の制御が行われる（ＳＴ５，７）。この場合、印字行のプレ印刷色は通帳のバーコード情報１０から得られており、一方制御ユニット８のＣＰＵ２１はメモリ２２内のインク混合量制御テーブル４０，４１を参照して、地紋色に対して最適なインク混合量を算出する。制御テーブル４０、４１は地紋色に対して印字される文字の色、画像色の明度対比、色相対比、彩度対比を考慮し、本来の色が忠実に再現できるよう３色のインクの混合量を制御する。
【００２０】
また、インク射出量の制御は、単位面積当たりのインク射出量を制御することにより行う。通帳によっては同一頁で地紋印刷が在る行と無い行が混在している場合がある。この様な通帳に印字する場合、地紋印刷の無い行に印字する際、インクの射出量を減らして印字すればインクにじみが無く印字できる。また、２行以上同時に印字できるインクジェットヘッドを搭載した装置の場合、印字する面（行）に地紋の有無が混在している場合には、それぞれにインク射出量を変更し、往路で地紋印刷がある行に印字を行い、復路で地紋印刷がない行に印字を行うという制御を行うことで高品質の印字が実現できる。
【００２１】
以上、一実施例について説明したが、本発明は上記実施例に限定されず、種々変形して実施できる。例えば、上述したプレ印刷色や紙の色を示す情報は、通帳の中紙に記録されるバーコード１０ではなく、これと同様の情報を磁気ストライプに磁気記録しておき、印字の際に磁気読み書き部５でその情報を読み取って、同様に図２に示す制御を行うようにしても良い。
【００２２】
また、読み取った情報１０を図示しないホストコンピュータに送信し、ホストコンピュータからの指示に従いインクジェットヘッドの制御を行うこともできる。この場合、図２、図３及び図６に示す同様の制御がホストコンピュータで実行されることになる。
【００２３】
また、バーコードに持たせる情報は、印字箇所に関する地紋色の情報だけでなく、他にも通帳の表紙及び中紙の材質等の印字特性や印字のインク色に影響を与える情報を含ませても良い。この場合、図５の制御テーブルにはそれら印字特性や影響情報を反映して予め設定されていることが必要である。
【００２４】
また、好ましい例としてインクジェット式通帳プリンタに適用した場合について説明したが、通帳印字に限らず、地紋色を印字色の制御に反映できる他の印字媒体のカラー印字にもできる。
【００２５】
【発明の効果】
本発明によれば、印字対象場所に関するプレ印刷色などインク色に影響を与える情報を予め媒体の所定の箇所に記録しておき、印字に際してその情報に基づいて、インクの混合量や射出量を制御するようにしたので、媒体の地紋色に最適な印字を行うことができる。
【図面の簡単な説明】
【図１】本発明の一実施例による通帳プリンタの概略的な構成を示す図。
【図２】一実施例による通帳プリンタの制御ユニット８の制御ブロック図。
【図３】一実施例による通帳プリンタで用いられる通帳の中紙を示す図。
【図４】通帳のバーコード１０の取り決め内容を説明するための図。
【図５】インク混合量の制御のためのテーブルの概要を示す図。
【図６】通帳プリンタにおけるインクジェット制御フローチャートを示す図。
【符号の説明】
１…通帳プリンタ
２…搬送路
３…挿入口
４…搬送ローラ
５…磁気読み書き部
６…光学読み取り部
７…印字部
８…制御ユニット
９…通帳
１０…バーコード。
【図１】
2004284137.tif 000003
【図２】
2004284137.tif 000004
【図３】
2004284137.tif 000005
【図４】
2004284137.tif 000006
【図５】
2004284137.tif 000007
【図６】
2004284137.tif 000008